(57)【特許請求の範囲】
【請求項１】
光源を収納する筐体と、
前記光源に電力を供給する電源ケーブルを接続可能なコネクタとを備える照明装置であって、
前記筐体には、前記コネクタが２つ収納され、前記電源ケーブルを前記コネクタに接続するための２つの開口部と、前記２つの開口部を開閉するカバー部材とが設けられ、
前記カバー部材は、スライド移動可能であり、前記２つの開口部の一方を閉塞したときに前記２つの開口部の他方を開放するとともに、前記２つの開口部の他方を閉塞したときに前記２つの開口部の一方を開放するように構成されていることを特徴とする照明装置。
【請求項２】
請求項１に記載の照明装置において、
前記筐体は、直方体状に形成され、
前記２つの開口部および前記カバー部材は、前記筐体の１つの面に設けられ、
前記２つの開口部は、前記面の長手方向の両端部にそれぞれ設けられ、
前記カバー部材は、前記２つの開口部間の長さに比べて少なくとも前記開口部１つ分短くなるように形成されていることを特徴とする照明装置。
【請求項３】
請求項１または２に記載の照明装置において、
前記カバー部材は、前記２つの開口部の一方を開閉するカバー部と、前記２つの開口部の他方を開閉するカバー部と、前記２つのカバー部を連結する連結部とを含むことを特徴とする照明装置。
【請求項４】
請求項１〜３のいずれか１つに記載の照明装置において、
前記筐体には、前記カバー部材がスライド移動可能に挿入されるレールが設けられていることを特徴とする照明装置。
【請求項５】
請求項４に記載の照明装置において、
前記レールは、設置用の支持部材を挿入可能に構成されていることを特徴とする照明装置。
【発明の詳細な説明】
【技術分野】
【０００１】
本発明は、照明装置に関する。
【背景技術】
【０００２】
従来、商品を陳列する棚などに設置される照明装置が知られている（たとえば、特許文献１参照）。この照明装置は、長尺状に形成されており、長手方向の一方端部から電源ケーブルが引き出されている。
【０００３】
ここで、このような照明装置は、棚に沿って直線状に連なるように複数設置される場合がある。このように、複数の照明装置が設置される場合において、照明装置から引き出される電源ケーブルの位置が固定されていると、電源ケーブルの取り回しが複雑になるとともに、見栄えが悪化するという不都合があった。
【０００４】
そこで、従来では、電源ケーブルを接続可能なコネクタが長手方向の両端部に設けられた照明装置が提案されている。この照明装置では、２つのコネクタのうちのいずれかを利用者が選択して、その選択されたコネクタに電源ケーブルを接続することが可能である。このため、長尺状の照明装置において、長手方向の一方端部から電源ケーブルを引き出したり、長手方向の他方端部から電源ケーブルを引き出したりすることが可能になる。これにより、電源ケーブルが取り回しやすくなるとともに、見栄えの悪化を抑制することが可能である。
【先行技術文献】
【特許文献】
【０００５】
【特許文献１】特開２００８−２１８１８６号公報
【発明の概要】
【発明が解決しようとする課題】
【０００６】
しかしながら、長手方向の両端部にコネクタが設けられた従来の照明装置では、両方のコネクタに電源ケーブルを接続することが可能であり、このような配線ミスが発生すると、故障などが発生するおそれがある。
【０００７】
本発明は、上記の課題を解決するためになされたものであり、本発明の目的は、２つのコネクタが設けられている場合に、配線ミスが発生するのを防止することが可能な照明装置を提供することである。
【課題を解決するための手段】
【０００８】
本発明による照明装置は、光源を収納する筐体と、光源に電力を供給する電源ケーブルを接続可能なコネクタとを備える。筐体には、コネクタが２つ収納され、電源ケーブルをコネクタに接続するための２つの開口部と、２つの開口部を開閉するカバー部材とが設けられている。カバー部材は、スライド移動可能であり、２つの開口部の一方を閉塞したときに２つの開口部の他方を開放するとともに、２つの開口部の他方を閉塞したときに２つの開口部の一方を開放するように構成されている。
【０００９】
このように構成することによって、２つの開口部をカバー部材が択一的に開放することにより、電源ケーブルを接続可能なコネクタを２つの中から選択することができる。そして、開放された開口部を介して電源ケーブルがコネクタに接続された場合には、もう１つのコネクタに対応する開口部がカバー部材により自動的に閉塞されているので、そのコネクタに電源ケーブルが接続されるのを防止することができる。したがって、２つのコネクタが設けられている場合に、両方のコネクタに電源ケーブルが接続されるという配線ミスが発生するのを防止することができる。
【００１０】
上記照明装置において、筐体は、直方体状に形成され、２つの開口部およびカバー部材は、筐体の１つの面に設けられ、２つの開口部は、面の長手方向の両端部にそれぞれ設けられ、カバー部材は、２つの開口部間の長さに比べて少なくとも開口部１つ分短くなるように形成されていてもよい。なお、２つの開口部間の長さとは、２つの開口部の互いに遠い側（外側）の端部間の長さである。
【００１１】
このように構成すれば、２つの開口部をカバー部材が択一的に開放することが容易にできる。
【００１２】
上記照明装置において、カバー部材は、２つの開口部の一方を開閉するカバー部と、２つの開口部の他方を開閉するカバー部と、２つのカバー部を連結する連結部とを含んでいてもよい。
【００１３】
このように構成すれば、寸法の異なる照明装置に対して、カバー部を共通化することにより、連結部の寸法を変更すれば対処することができる。
【００１４】
上記照明装置において、筐体には、カバー部材がスライド移動可能に挿入されるレールが設けられていてもよい。
【００１５】
このように構成すれば、カバー部材を容易にスライド移動させることができる。
【００１６】
この場合において、レールは、設置用の支持部材を挿入可能に構成されていてもよい。
【００１７】
このように構成すれば、照明装置のカバー部材が設けられている面を支持することができる。
【発明の効果】
【００１８】
本発明の照明装置によれば、２つのコネクタが設けられている場合に、配線ミスが発生するのを防止することができる。
【図面の簡単な説明】
【００１９】
【図１】本発明の一実施形態による照明装置を斜め後方から見た斜視図である。
【図２】図１の照明装置の内部構造を示した断面図である。
【図３】図１の照明装置のカバー部材の一部を破断した分解斜視図である。
【図４】本実施形態の照明装置の一部を破断した斜視図であって、カバー部材が長手方向の他方側に配置された状態を示した図である。
【図５】本実施形態の照明装置の一部を破断した斜視図であって、カバー部材が長手方向の一方側に配置された状態を示した図である。
【図６】本実施形態の変形例による照明装置を拡大して示した斜視図である。
【発明を実施するための形態】
【００２０】
以下、本発明の一実施形態を図面に基づいて説明する。
【００２１】
まず、図１〜図５を参照して、本実施形態による照明装置１００について説明する。
【００２２】
照明装置１００は、図１に示すように、直方体状に形成されるとともに、長手方向（Ｘ１およびＸ２方向）に延びるように長尺状に形成されている。この照明装置１００は、たとえば、棚下に、その棚に沿って直線状に連なるように複数設置される。これにより、棚下に設置された照明装置１００は、１段下の棚に陳列される商品などを上方から照らすようになっている。具体的には、照明装置１００は、光を出射するＬＥＤ１（図２参照）と、ＬＥＤ１を収納する筐体２とを備えている。
【００２３】
ＬＥＤ（発光ダイオード）１は、長手方向に延びる板状の配線基板３（図２参照）に設けられている。このＬＥＤ１は、配線基板３の延びる方向に複数設けられている。なお、ＬＥＤ１は、本発明の「光源」の一例である。
【００２４】
筐体２は、長尺な直方体状であり、長手方向に延びる筒状の本体部材２１と、本体部材２１の長手方向の両端部に設けられた端部部材（エンドキャップ）２２とを含んでいる。そして、筐体２では、本体部材２１と、一対の端部部材２２と、後述する透光性カバー４（図２参照）とにより、ＬＥＤ１および配線基板３などを収納する内部空間が形成されるようになっている。
【００２５】
本体部材２１は、たとえば金属製であり、図２に示すように、断面形状がほぼ長方形状に形成されるとともに、その断面形状が長手方向において同じになるように形成されている。すなわち、本体部材２１には、開口部２１ａ、溝部２１ｂ、２１ｃ、挿入孔２１ｄ、ねじ孔２１ｅ、２１ｆおよびレール２１ｇなどが形成され、これらが長手方向に延びるように形成されている。
【００２６】
開口部２１ａは、本体部材２１の下端面の前端側（Ｙ１方向側）に形成されている。この開口部２１ａには透光性カバー４が設けられており、その透光性カバー４により開口部２１ａが閉じられるようになっている。
【００２７】
透光性カバー４は、たとえば透光性を有する樹脂製であり、長手方向に延びるように形成されている。この透光性カバー４には、ＬＥＤ１から出射された光を調整するためのレンズ部４ａが長手方向に複数設けられている。また、透光性カバー４は、短手方向（Ｙ１およびＹ２方向）の端部が本体部材２１の溝部２１ｂに挿入されることにより、本体部材２１に対して取り付けられている。
【００２８】
溝部２１ｃは、本体部材２１の前端面および後端面に対向するように形成されている。そして、溝部２１ｃに配線基板３の短手方向の端部が挿入されることにより、配線基板３が本体部材２１に対して取り付けられている。なお、配線基板３に設けられたＬＥＤ１は、透光性カバー４のレンズ部４ａと対応する位置に配置されている。また、配線基板３と本体部材２１との間には絶縁シート５が介在されている。
【００２９】
挿入孔２１ｄは、本体部材２１の上端面に形成され、照明装置１００を棚下に設置するための支持部材（図示省略）が挿入可能に構成されている。また、ねじ孔２１ｅおよび２１ｆは、端部部材２２を本体部材２１に取り付けるために設けられている。
【００３０】
レール２１ｇは、本体部材２１の後端面に形成され、後述するカバー部材８が挿入されている。このレール２１ｇは、後端面から内側（Ｙ１方向側）に窪むように形成された溝状部２１１ｇと、溝状部２１１ｇの上端部および下端部に形成されたフック状（鉤状）の係合部２１２ｇとを含んでいる。これにより、レール２１ｇは、挿入されたカバー部材８を短手方向において挟み込むように構成されており、そのカバー部材８を長手方向にスライド移動可能に支持するとともに、そのカバー部材８が抜け落ちないようになっている。
【００３１】
端部部材２２は、図４および図５に示すように、本体部材２１の長手方向の端部に設けられている。具体的には、ねじ６がねじ孔２１ｅに螺合されるとともに、ねじ（図示省略）がねじ孔２１ｆに螺合されることにより、端部部材２２が本体部材２１に対して取り付けられている。端部部材２２には、本体部材２１の挿入孔２１ｄと対応する位置に、設置用の支持部材が挿入可能な挿入孔２２ａが形成されている。このため、挿入孔２２ａおよび２１ｄにより、筐体２を長手方向に貫通する孔が構成されている。また、端部部材２２には、上端面の本体部材２１側に後方（Ｙ２方向）に突出する突出部２２ｂが形成されている。
【００３２】
また、端部部材２２の内部には、ＬＥＤ１に電力を供給する電源ケーブル（図示省略）を接続可能なコネクタ７が収納されている。コネクタ７は、配線基板３を介してＬＥＤ１に接続されている。このため、電源ケーブルがコネクタ７に接続された場合に、ＬＥＤ１を点灯させるための電力がＬＥＤ１に供給されるようになっている。そして、端部部材２２の後端面が切り欠かれており、筐体２の後端面２ａにはコネクタ７を露出させるための開口部２０が形成されている。開口部２０は、電源ケーブルをコネクタ７に接続するために設けられ、コネクタ７は、差込口が開口部２０に臨むように配置されている。
【００３３】
つまり、照明装置１００では、筐体２の内部に給電用のコネクタ７が２つ設けられ、その２つのコネクタ７が長手方向の両端部にそれぞれ配置されている。そして、コネクタ７と対応するように開口部２０が２つ設けられ、その２つの開口部２０が長手方向の両端部にそれぞれ配置されている。
【００３４】
なお、２つのコネクタ７は、長手方向の一方側（Ｘ１方向側）のコネクタ７ａと、長手方向の他方側（Ｘ２方向側）のコネクタ７ｂとにより構成されている。また、２つの開口部２０は、長手方向の一方側の開口部２０ａと、長手方向の他方側の開口部２０ｂとにより構成されている。
【００３５】
そして、本実施形態の照明装置１００では、開口部２０を開閉するカバー部材８が設けられている。このカバー部材８は、レール２１ｇ（図２参照）に挿入され、長手方向にスライド移動可能に構成されている。そして、カバー部材８は、２つの開口部２０間の長さに比べて開口部２０の１つ分だけ短くなるように形成され、スライド移動可能な距離が開口部２０の１つ分に設定されている。これにより、カバー部材８は、図４に示すように、開口部２０ｂ（図５参照）を閉塞したときに開口部２０ａを開放するとともに、図５に示すように、開口部２０ａ（図４参照）を閉塞したときに開口部２０ｂを開放するように構成されている。
【００３６】
なお、２つの開口部２０間の長さとは、２つの開口部２０の互いに遠い側（外側）の端部間の長さである。すなわち、本実施形態で２つの開口部２０は、照明装置１００の複数ある面のうちの一面（Ｙ２方向側の面）にそれぞれが形成されており、その２つの開口部２０間の長さとは、開口部２０ａのＸ１方向側の端部と、開口部２０ｂのＸ２方向側の端部との間の長さである。
【００３７】
具体的には、カバー部材８は、開口部２０を開閉する２つのカバー部８１と、２つのカバー部８１を連結する連結部８２とを含んでいる。なお、２つのカバー部８１は、長手方向の一方側のカバー部８１ａと、長手方向の他方側のカバー部８１ｂとにより構成されている。
【００３８】
カバー部８１は、たとえば金属製の板状部材であり、図３に示すように、取付部８１１と、被ガイド部８１２と、段差部８１３と、カバー板８１４とが連なるように形成されている。
【００３９】
取付部８１１は、たとえば両面テープ（図示省略）により連結部８２に取り付けられている。被ガイド部８１２は、取付部８１１および段差部８１３に比べて縦方向（Ｚ方向）の長さが大きくなるように形成され、レール２１ｇにガイドされるようになっている。段差部８１３は、被ガイド部８１２から後方（Ｙ２方向）に立ち上がるように形成されている。なお、段差部８１３は、縦方向の長さが、レール２１ｇの一対の係合部２１２ｇ間の距離に比べて小さくされている。このため、カバー板８１４は、図４および図５に示すように、筐体２の後端面２ａよりも後方（Ｙ２方向側）に配置されている。カバー板８１４は、横方向（Ｘ１およびＸ２方向）の長さが端部部材２２とほぼ同じであるとともに、縦方向（Ｚ方向）の長さが筐体２に比べて突出部２２ｂの分だけ小さくされている。カバー板８１４は、開口部２０を開閉可能に構成され、上端部に上方に突出する突出部８１５が設けられている。
【００４０】
連結部８２は、たとえば樹脂製の板状部材であり、長手方向に延びるように形成されている。この連結部８２は、図３に示すように、板状部８２ａと、板状部８２ａの上端部および下端部から後方（Ｙ２方向）に突出する突部８２ｂとを含んでいる。すなわち、連結部８２は、前方側（Ｙ１方向側）に窪む溝が長手方向に延びるように形成されている。そして、板状部８２ａの後方側に、一対の突部８２ｂの間にカバー部８１の取付部８１１が取り付けられ、連結部８２の長手方向の両端部にカバー部８１の被ガイド部８１２が隣接配置される。
【００４１】
板状部８２ａは、縦方向の長さが、レール２１ｇに比べて若干小さくされるとともに、被ガイド部８１２とほぼ同じになっている。突部８２ｂは、厚み方向（Ｙ１およびＹ２方向）の長さが、レール２１ｇの溝状部２１１ｇと係合部２１２ｇとの距離に比べて若干小さくされるとともに、板状部８２ａおよび取付部８１１の厚みの合計とほぼ同じになっている。
【００４２】
このような照明装置１００では、図４に示すように、カバー部材８が長手方向の他方側（Ｘ２方向側）に配置されている場合には、カバー部８１ａの突出部８１５が端部部材２２の突出部２２ｂに接触され、カバー部８１ｂの段差部８１３が端部部材２２に接触される。このとき、開口部２０ａが開放され、開口部２０ｂ（図５参照）がカバー部８１ｂにより閉塞される。これにより、コネクタ７ａに電源ケーブルを接続可能な状態になるとともに、コネクタ７ｂ（図５参照）に電源ケーブルを接続できない状態になる。そして、この状態からコネクタ７ａに電源ケーブルが接続された場合には、その接続された電源ケーブルがカバー部材８と干渉するため、カバー部材８をスライド移動させることができなくなる。したがって、コネクタ７ａに電源ケーブルが接続された場合には、開口部２０ｂを開くことができなくなり、コネクタ７ｂに電源ケーブルを接続できなくなる。
【００４３】
その一方、図５に示すように、カバー部材８が長手方向の一方側（Ｘ１方向側）に配置されている場合には、カバー部８１ａの段差部８１３が端部部材２２に接触され、カバー部８１ｂの突出部８１５が端部部材２２の突出部２２ｂに接触される。このとき、開口部２０ａ（図４参照）がカバー部８１ａにより閉塞され、開口部２０ｂが開放される。これにより、コネクタ７ａ（図４参照）に電源ケーブルを接続できない状態になるとともに、コネクタ７ｂに電源ケーブルを接続可能な状態になる。そして、この状態からコネクタ７ｂに電源ケーブルが接続された場合には、その接続された電源ケーブルがカバー部材８と干渉するため、カバー部材８をスライド移動させることができなくなる。したがって、コネクタ７ｂに電源ケーブルが接続された場合には、開口部２０ａを開くことができなくなり、コネクタ７ａに電源ケーブルを接続できなくなる。
【００４４】
いずれの場合においても、２つの開口部２０が同じ方向（Ｙ２方向）に対して開口し、開口方向と直交する方向（Ｘ１およびＸ２方向）にカバー部材８がスライド移動して開口部２０ａと開口部２０ｂのいずれかが開放されることによって、電源ケーブルをコネクタ７ａとコネクタ７ｂのいずれか一方にのみ接続可能な状態としている。
【００４５】
−効果−
本実施形態では、上記のように、２つの開口部２０をカバー部材８が択一的に開放することによって、電源ケーブルを接続可能なコネクタ７を２つの中から選択することができる。そして、開放された開口部２０を介して電源ケーブルがコネクタ７に接続された場合には、もう１つのコネクタ７に対応する開口部２０がカバー部材８により自動的に閉塞されているので、そのコネクタ７に電源ケーブルが接続されるのを防止することができる。したがって、２つのコネクタ７が設けられている場合に、両方のコネクタ７に電源ケーブルが接続されるという配線ミスが発生するのを防止することができる。
【００４６】
また、コネクタ７を２つ設けることによって、電源ケーブルが取り回しやすくなるとともに、見栄えの悪化を抑制することができる。たとえば、一対の仕切り壁の間の棚下に、２つの照明装置１００が直線状に配置された場合には、互いに隣接する側の開口部２０を閉塞するとともに、仕切り壁側の開口部２０を開放して電源ケーブルを接続することにより、電源ケーブルを仕切り壁に沿って配線することができるので、電源ケーブルを取り回しやすく、見栄えが悪化するのを抑制することができる。
【００４７】
また、本実施形態では、カバー部材８を、２つの開口部２０間の長さに比べて開口部２０の１つ分だけ短くなるように形成することによって、２つの開口部２０をカバー部材８が択一的に開放することが容易にできる。
【００４８】
また、本実施形態では、２つのカバー部８１とそれらを連結する連結部８２とによりカバー部材８を構成することによって、寸法（長手方向の長さ）の異なる照明装置１００に対して、カバー部８１を共通化することにより、連結部８２の寸法を変更すれば対処することができる。また、カバー部８１と連結部８２とを異なる材質にすることができるので、連結部８２を樹脂製にして製造コストの低減を図ることができる。
【００４９】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００５０】
たとえば、本実施形態では、照明装置１００が棚下に設置される例を示したが、これに限らず、照明装置が棚上などのその他の場所に設置されていてもよい。
【００５１】
また、本実施形態では、長尺状の照明装置１００が直線状に形成される例を示したが、これに限らず、長尺状の照明装置が湾曲するように形成されていてもよい。
【００５２】
また、本実施形態では、開口部２０、カバー部材８およびレール２１ｇが、筐体２の後端面２ａに設けられる例を示したが、これに限らず、これらがその他の面に設けられていてもよい。
【００５３】
また、本実施形態では、開口部２０、カバー部材８およびレール２１ｇが、筐体２の同じ面に設けられる例を示したが、これに限らず、これらが異なる面に設けられていてもよい。たとえば、開口部およびカバー部材のカバー部が、筐体の後端面に設けられるとともに、レールおよびカバー部材の連結部が、筐体の下端面に設けられるようにしてもよい。
【００５４】
また、本実施形態では、カバー部材８が、２つの開口部２０間の長さに比べて開口部２０の１つ分だけ短い例を示したが、これに限らず、カバー部材が２つの開口部を択一的に開くように、カバー部材の長手方向のストローク位置が択一的に設定されるように構成されていれば、カバー部材がもっと短くてもよい。
【００５５】
また、本実施形態では、２つのカバー部８１とそれらを連結する連結部８２とによりカバー部材８を構成する例を示したが、これに限らず、カバー部材が１つの材料で一体的に形成されていてもよい。
【００５６】
また、図６に示した変形例による照明装置２００のように、レールに設置用の支持部材２５０が挿入されていてもよい。この照明装置２００のカバー部材２０１は、レール内をスライド移動する複数の可動部材２０１ａと、複数の可動部材２０１ａの両端に設けられたカバー部８１とを含んでいる。そして、可動部材２０１ａの間に支持部材２５０が配置されている。すなわち、カバー部材２０１と支持部材２５０とでレールを共用するようになっている。このように構成すれば、照明装置２００が設置されるときに、支持部材２５０により筐体２の後端面を支持することができる。
【００５７】
また、本実施形態では、カバー部８１の取付部８１１が連結部８２の板状部８２ａに対して後方側（Ｙ２方向側）に配置される例を示したが、これに限らず、カバー部の取付部が連結部の板状部に対して前方側に配置されていてもよい。
【産業上の利用可能性】
【００５８】
本発明は、長尺状に形成され、２つのコネクタが設けられる照明装置に利用可能である。
【符号の説明】
【００５９】
１    ＬＥＤ（光源）
２    筐体
２ａ    後端面（面）
７、７ａ、７ｂ    コネクタ
８、２０１    カバー部材
２０、２０ａ、２０ｂ    開口部
２１ｇ    レール
８１、８１ａ、８１ｂ    カバー部
８２    連結部
１００、２００    照明装置
２５０    支持部材
【図１】
0006294185.tif 000002
【図２】
0006294185.tif 000003
【図３】
0006294185.tif 000004
【図４】
0006294185.tif 000005
【図５】
0006294185.tif 000006
【図６】
0006294185.tif 000007